(57)【要約】【課題】他の携帯端末装置を持つ保有者と接触する可能性があるときに、その危険性を分かり易く表示する。【解決手段】本発明の携帯端末装置１０は、可搬型のものであって、表示部１１と、ユーザーにより操作されるタッチパネル１２と、他の携帯端末装置の位置を受信する通信部１４と、当該携帯端末装置１０の位置を検出するＧＰＳ受信部１５と、通信部１４により受信された他の携帯端末装置の位置及びＧＰＳ受信部１５により検出された当該携帯端末装置１０の位置に基づき他の携帯端末装置が当該携帯端末装置１０に接近しているか否かを判定して、他の携帯端末装置が接近していると判定すると、表示部１１の画面の一部分又は全体を暗くする制御ユニット１７と、を備える。【選択図】図２
2018113572.tif 000002
【特許請求の範囲】
【請求項１】
可搬型の携帯端末装置であって、
表示部と、
ユーザーにより操作される操作部と、
当該携帯端末装置の位置を検出する位置検出部と、
他の携帯端末装置との間で通信を行う通信部と、
前記通信部により受信された前記他の携帯端末装置の位置及び前記位置検出部により検出された当該携帯端末装置の位置に基づき、前記他の携帯端末装置が当該携帯端末装置に接近しているか否かを判定して、前記他の携帯端末装置が接近していると判定すると、前記表示部の画面の一部分又は全体を暗くする制御部と、を備える携帯端末装置。
【請求項２】
前記制御部は、前記他の携帯端末装置の位置及び当該携帯端末装置の位置に基づき、前記他の携帯端末装置と当該携帯端末装置の離間距離を算出し、前記表示部の画面の一部分を暗くする場合には、この離間距離が短くなる程、前記表示部の画面の暗い部分の面積を拡大させる請求項１に記載の携帯端末装置。
【請求項３】
前記通信部は、前記他の携帯端末装置の送信信号を受信し、
前記制御部は、前記送信信号を受信している前記通信部の受信出力に基づき前記離間距離を補正する請求項２に記載の携帯端末装置。
【請求項４】
前記制御部は、前記他の携帯端末装置の位置及び当該携帯端末装置の位置に基づき当該携帯端末装置に対する前記他の携帯端末装置の接近方向を判定し、前記表示部の画面における前記接近方向の側から暗くする請求項１乃至請求項３のいずれかに記載の携帯端末装置。
【請求項５】
前記制御部は、前記位置検出部により検出された当該携帯端末装置の位置の変化に基づき当該携帯端末装置が移動しているか否かを判定し、当該携帯端末装置が移動しているときに前記表示部の画面の一部分又は全体を暗くする制御を行い、当該携帯端末装置が移動していないときに前記表示部の画面の一部分又は全体を暗くする制御を行わない請求項１乃至請求項４のいずれかに記載の携帯端末装置。
【請求項６】
前記制御部は、前記他の携帯端末装置が接近していると判定すると、ユーザーによる前記操作部の操作の受付を停止する請求項１乃至請求項５のいずれかに記載の携帯端末装置。
【請求項７】
前記制御部は、複数の他の携帯端末装置の位置及び当該携帯端末装置の位置に基づき当該それぞれの他の携帯端末装置が当該携帯端末装置に接近していると判定すると、最初に接近して来た他の携帯端末装置に係る判定に基づき前記表示部の画面の一部分又は全体を暗くする請求項１乃至請求項６のいずれかに記載の携帯端末装置。
【請求項８】
前記制御部は、前記他の携帯端末装置が接近していると判定して、前記表示部の画面の一部分又は全体を暗くした後、前記他の携帯端末装置の位置の変化に基づき該他の携帯端末装置が停止しているか否かを判定し、該他の携帯端末装置が停止していると判定すると、前記表示部の画面の一部分又は全体の明るさを元に戻す請求項１乃至請求項７のいずれかに記載の携帯端末装置。
【請求項９】
前記制御部は、前記位置検出部によって検出された当該携帯端末装置の位置を前記他の携帯端末装置に向けて前記通信部から送信させる請求項１乃至請求項８のいずれかに記載の携帯端末装置。
【請求項１０】
複数の可搬型の携帯端末装置と、当該複数の携帯端末装置のそれぞれとの間で通信を行う管理装置とを備え、
前記管理装置は、前記複数の携帯端末装置の位置を当該各携帯端末装置から受信して取得し、これらの位置を更に当該各携帯端末装置のそれぞれに送信し、
前記各携帯端末装置は、
表示部と、
ユーザーにより操作される操作部と、
自身の携帯端末装置の位置を検出する位置検出部と、
他の携帯端末装置との間で通信を行う通信部と、
前記通信部により受信された前記他の携帯端末装置の位置及び前記位置検出部により検出された自身の携帯端末装置の位置に基づき前記他の携帯端末装置が当該自身の携帯端末装置に接近しているか否かを判定して、前記他の携帯端末装置が接近していると判定すると、前記表示部の画面の一部分又は全体を暗くする制御部と、を備える安全管理システム。
【発明の詳細な説明】
【技術分野】
【０００１】
本発明は、可搬型の携帯端末装置及び安全管理システムに関し、特に携帯端末装置を操作しながら移動しているユーザーの安全性を確保するための技術に関する。
【背景技術】
【０００２】
近年、スマートフォンなどの携帯端末装置を操作しながらの移動を原因とする事故が問題となっている。このため、特許文献１に示されるように、端末装置の移動速度が一定時間継続して一定値以上に達すると、ユーザーが歩きながら端末装置を使用し始めたと判断して、自動的に端末装置の表示部に注意を促す警告を表示する技術が提案されている。
【０００３】
また、特許文献２に示されるように、交通事故の発生頻度を抑制するために、交差点における歩行者・車両等（歩行者・自転車・バイク・車椅子・車両等）の位置情報を求めて、この位置情報を端末装置の表示部に表示する技術が提案されている。
【先行技術文献】
【特許文献】
【０００４】
【特許文献１】特開２０１５−８８８６０号公報
【特許文献２】特開２０１６−９５７９９号公報
【発明の概要】
【発明が解決しようとする課題】
【０００５】
しかしながら、特許文献１に記載の技術では、ユーザーが歩きながら端末装置を使用し始めると警告が表示されるので、この警告の表示が弊害になることがある。例えば、端末装置をナビゲーションとして使用しているときには、警告が表示されると、ナビゲーションの本来の機能が損なわれる。また、特許文献２に記載の技術では、歩行者・車両等の位置情報を端末装置の表示部に表示しているが、位置情報の表示方法を特定していない。例えば、位置情報を数字の羅列で表示したとしても、他の携帯端末装置を持つ保有者と接触するか等を位置情報に基づいて理解するのは容易ではない。
【０００６】
本発明は、上記の事情に鑑みなされたものであり、他の携帯端末装置を持つ保有者と接触する可能性があるときに、その危険性を分かり易く表示することを目的とする。
【課題を解決するための手段】
【０００７】
本発明の一局面にかかる携帯端末装置は、可搬型の携帯端末装置であって、表示部と、ユーザーにより操作される操作部と、当該携帯端末装置の位置を検出する位置検出部と、他の携帯端末装置との間で通信を行う通信部と、前記通信部により受信された前記他の携帯端末装置の位置及び前記位置検出部により検出された当該携帯端末装置の位置に基づき、前記他の携帯端末装置が当該携帯端末装置に接近しているか否かを判定して、前記他の携帯端末装置が接近していると判定すると、前記表示部の画面の一部分又は全体を暗くする制御部と、を備えるものである。
【０００８】
また、本発明の一局面にかかる安全管理システムは、複数の可搬型の携帯端末装置と、当該複数の携帯端末装置のそれぞれとの間で通信を行う管理装置とを備え、前記管理装置は、前記複数の携帯端末装置の位置を当該各携帯端末装置から受信して取得し、これらの位置を更に当該各携帯端末装置のそれぞれに送信し、前記各携帯端末装置は、表示部と、ユーザーにより操作される操作部と、自身の携帯端末装置の位置を検出する位置検出部と、他の携帯端末装置との間で通信を行う通信部と、前記通信部により受信された前記他の携帯端末装置の位置及び前記位置検出部により検出された自身の携帯端末装置の位置に基づき前記他の携帯端末装置が当該自身の携帯端末装置に接近しているか否かを判定して、前記他の携帯端末装置が接近していると判定すると、前記表示部の画面の一部分又は全体を暗くする制御部と、を備えるものである。
【発明の効果】
【０００９】
本発明によれば、他の携帯端末装置を持つ保有者と接触する可能性があるときに、その危険性を分かり易く表示することができる。
【図面の簡単な説明】
【００１０】
【図１】本発明の一実施形態にかかる安全管理システムを示す概略図である。
【図２】本実施形態の安全管理システムにおける携帯端末装置の構成及び管理装置の構成を示すブロック図である。
【図３】（ａ）〜（ｄ）は、他の携帯端末装置が前方向から接近して来たときの自己の携帯端末装置の表示部の画面の変化を示す図である。
【図４】（ａ）〜（ｄ）は、他の携帯端末装置が左斜め前方向から接近して来たときの自己の携帯端末装置の表示部の画面の変化を示す図である。
【図５】携帯端末装置の表示部の画面を暗くするための処理手順を示すフローチャートである。
【図６】本発明の他の実施形態に係る安全管理システムにおける携帯端末装置の構成を示すブロック図である。
【図７】本発明の他の実施形態に係る安全管理システムにおける携帯端末装置においてその表示部の画面を暗くするための処理手順を示すフローチャートである。
【発明を実施するための形態】
【００１１】
以下、本発明の実施形態について図面を参照して説明する。図１は、本発明の一実施形態にかかる安全管理システムを示す概略図である。図２は、本実施形態の安全管理システムにおける携帯端末装置の構成及び管理装置の構成を示すブロック図である。
【００１２】
本実施形態の安全管理システムＳｙにおいては、複数の携帯端末装置１０と管理装置３０の間で、近距離通信方式（Ｎｅａｒ Ｆｉｅｌｄ Ｃｏｍｍｕｎｉｃａｔｉｏｎ）によるデータ通信、例えば「Ｗｉ−Ｆｉ」によるデータ通信を行って、管理装置３０を中心とする無線エリアでの各携帯端末装置１０のユーザー同士の接触を防止する。
【００１３】
ここで、安全管理システムＳｙにおける携帯端末装置１０は、例えばスマートフォンやモバイル機器などであって、表示部１１と、タッチパネル１２と、物理キー（スタートキーなど）１８と、ネットワーク通信部１３と、近距離通信部１４と、ＧＰＳ受信部１５と、記憶部１６と、制御ユニット１７とを備えている。これらの構成要素は、互いにバスを通じてデータ又は信号の送受信が可能とされている。
【００１４】
表示部１１は、液晶ディスプレイ（ＬＣＤ：Liquid Crystal Display）や有機ＥＬ（ＯＬＥＤ：Organic Light-Emitting Diode）などから構成される。例えば、表示部１１の画面には、複数のアイコンが表示される。
【００１５】
タッチパネル１２は、所謂抵抗膜方式や静電容量方式等のタッチパネルである。タッチパネル１２は、表示部１１の画面に配置され、表示部１１の画面上のアイコンに対する指などの接触をその接触位置と共に検知する。タッチパネル１２は、指などの接触を検知すると、その接触位置の座標を示す検知信号を制御ユニット１７の後述する操作受付部２２などに出力する。従って、タッチパネル１２は、表示部１１の画面に対するユーザー操作が入力される操作部としての役割を果たす。
【００１６】
また、携帯端末装置１０は、ユーザー操作が入力される操作部として、上記のタッチパネル１２に加えて物理キー１８を備えている。
【００１７】
ネットワーク通信部（図２ではＮＷ通信部）１３は、不図示のＬＡＮチップなどの通信モジュールを備える通信インターフェイスである。このネットワーク通信部１３は、公衆回線網等のネットワークを介して他の携帯端末装置などに接続され、携帯端末装置１０がネットワーク通信部１３を通じて無線通話などを行う。
【００１８】
また、近距離通信部１４（図２ではＮＦＣ通信部）は、例えばＷｉ−Ｆｉ又はＢｌｕｅｔｏｏｔｈ（登録商標）に対応した通信インターフェイスである。携帯端末装置１０は、近距離通信部１４を通じて管理装置３０に接続され、管理装置３０との間でデータの送受信を行う。
【００１９】
ＧＰＳ受信部１５は、複数のＧＰＳ衛星から送信されるそれぞれのＧＰＳ信号を受信して制御ユニット１７に出力する。これらのＧＰＳ信号には、それぞれのＧＰＳ信号を送信した各ＧＰＳ衛星の位置及び送信時刻に関する情報が含まれている。制御部２１は、これらのＧＰＳ信号の位置及び送信時刻に関する情報に基づいて携帯端末装置１０の位置を算出することができる。
【００２０】
記憶部１６は、ＲＡＭ（Random Access Memory）、ＨＤＤ（Hard Disk Drive）などの記憶装置である。
【００２１】
制御ユニット１７は、プロセッサー、ＲＡＭ（Random Access Memory）、及びＲＯＭ（Read Only Memory）等から構成される。プロセッサーは、ＣＰＵ(Central Processing Unit)、ＡＳＩＣ、ＭＣＵ等である。制御ユニット１７は、上記のＲＯＭ又は記憶部１６に記憶された制御プログラムが上記のプロセッサーで実行されることにより、制御部２１、操作受付部２２、表示制御部２３、通信制御部２４として機能する。なお、制御ユニット１７の上記の各構成要素は、前述の制御プログラムに基づく動作によらず、それぞれハード回路により構成されてもよい。
【００２２】
制御ユニット１７は、表示部１１、タッチパネル１２、物理キー１８、ネットワーク通信部１３、近距離通信部１４、ＧＰＳ受信部１５、及び記憶部１６などと接続されており、これらの構成要素の動作制御や、該各構成要素との間での信号またはデータの送受信を行う。
【００２３】
操作受付部２２は、タッチパネル１２から出力される検知信号あるいは物理キー１８の操作に基づき、ユーザーにより入力されたユーザー操作を特定する。そして、操作受付部２２は、特定したユーザー操作を受け付け、当該ユーザー操作に対応する制御信号を制御部２１、表示制御部２３、通信制御部２４などに出力する。
【００２４】
制御部２１は、携帯端末装置１０を統括的に制御する。また、制御部２１は、操作受付部２２が受け付けた操作に応じた処理を実行する処理部としての役割を果たす。例えば、ユーザーによりタッチパネル１２を通じて表示部１１の画面に表示されているアイコンを選択する操作が行われ、操作受付部２２がアイコンのユーザー操作を受け付けた場合に、制御部２１は、アイコンに対応付けられた機能を実行する。
【００２５】
また、制御部２１は、各ＧＰＳ衛星のＧＰＳ信号をＧＰＳ受信部１５から受け取って、これらのＧＰＳ信号により示される各ＧＰＳ衛星の位置及び送信時刻に関する情報に基づいて携帯端末装置１０の位置を算出する。
【００２６】
通信制御部２４は、ネットワーク通信部１３及び近距離通信部１４の通信動作を制御する機能を有する。記憶部１６は、各種のアプリケーションプログラムや種々の情報等を記憶している。また、表示制御部２３は、表示部１１の表示動作を制御する機能を有する。なお、制御部２１、操作受付部２２、表示制御部２３、及び通信制御部２４が、特許請求の範囲における「制御部」として機能する。
【００２７】
次に安全管理システムＳｙにおける管理装置３０を説明する。安全管理システムＳｙにおける管理装置３０は、例えばコンピューター、ワークステーションなどであって、表示部３１と、操作部３２と、ネットワーク通信部３３と、近距離通信部３４と、記憶部３８と、制御ユニット３９とを備えている。これらの構成要素は、互いにバスを通じてデータ又は信号の送受信が可能とされている。
【００２８】
制御ユニット３９は、ＣＰＵ、ＲＡＭ、及びＲＯＭ等から構成され、制御部４１、操作受付部４２、表示制御部４３、及び通信制御部４４として機能する。制御部４１は、管理装置３０を統括的に制御する。
【００２９】
制御ユニット３９は、プロセッサー、ＲＡＭ（Random Access Memory）、及びＲＯＭ（Read Only Memory）等から構成される。プロセッサーは、ＣＰＵ(Central Processing Unit)、ＡＳＩＣ、ＭＣＵ等である。制御ユニット３９は、上記のＲＯＭ又は記憶部３８に記憶された動作制御プログラムが上記のプロセッサーで実行されることにより、制御部４１、操作受付部４２、表示制御部４３、及び通信制御部４４として機能する。なお、制御ユニット３９の上記の各構成要素は、前述の動作制御プログラムに基づく動作によらず、それぞれハード回路により構成されてもよい。
【００３０】
操作部３２は、キーボードやマウス等からなり、利用者により操作されて、その操作による指示が操作受付部４２で受け付けられる。
【００３１】
表示部３１は、表示制御部４３により制御されて、アプリケーションプログラムの実行に伴う画面、あるいは情報の入力画面などを表示する。
【００３２】
ネットワーク通信部（図２ではＮＷ通信部）３３は、不図示のＬＡＮチップなどの通信モジュールを備える通信インターフェイスである。このネットワーク通信部３３は、公衆回線網等のネットワークを介してサーバーなどに接続され、管理装置３０がネットワーク通信部３３を通じてデータ通信などを行う。
【００３３】
近距離通信部（図２ではＮＦＣ通信部）３４は、例えばＷｉ−Ｆｉ又はＢｌｕｅｔｏｏｔｈ（登録商標）に対応した通信インターフェイスである。近距離通信部３４は、例えばＷｉ−Ｆｉ通信により携帯端末装置１０との間で各種のデータを送受信する。
【００３４】
記憶部３８は、各種のアプリケーションプログラムや種々の情報等を記憶している。
【００３５】
このような構成の安全管理システムＳｙにおいて、管理装置３０は、Ｗｉ−Ｆｉ通信により各携帯端末装置１０との間でデータ通信を行って、各携帯端末装置１０の位置を受信して収集し、各携帯端末装置１０の位置を該各携帯端末装置１０に送信する。
【００３６】
各携帯端末装置１０では、自己の携帯端末装置１０の位置を検出して、この位置を管理装置３０に送信すると共に、他の各携帯端末装置１０の位置を管理装置３０から受信し、また自己の携帯端末装置１０の位置の変化に基づき自己の携帯端末装置１０が移動しているか否かを判定する。
【００３７】
そして、自己の携帯端末装置１０では、自己の携帯端末装置１０が移動していると判定すると、自己の携帯端末装置１０の位置と他の各携帯端末装置１０の位置を比較して、他の携帯端末装置１０が自己の携帯端末装置１０に接近しているか否かを判定し、他の携帯端末装置１０が接近していると判定すると、表示部１１の画面の一部分又は全体を暗くする。このとき、自己の携帯端末装置１０は、他の携帯端末装置１０の位置及び当該携帯端末装置１０の位置に基づき他の携帯端末装置１０と当該携帯端末装置１０の間の離間距離を算出し、この離間距離が短くなる程、表示部１１の画面の暗い部分を拡大させる。また、自己の携帯端末装置１０は、他の携帯端末装置１０の位置及び当該携帯端末装置１０の位置に基づき当該携帯端末装置１０に対する他の携帯端末装置１０の接近方向を判定し、表示部１１の画面を当該接近方向側の部分から暗くしていく。
【００３８】
例えば、自己の携帯端末装置１０は、自己の携帯端末装置１０の移動中に、図３（ａ）乃至（ｄ）に示すように他の携帯端末装置１０のユーザーＵが自己の携帯端末装置１０の前方向から接近して来た場合は、自己の携帯端末装置１０の表示部１１の画面を該画面の上側の部分より暗くして、他の携帯端末装置１０が接近する程、該画面の暗い部分を広くし、最後に該画面の全体を暗くする。あるいは、自己の携帯端末装置１０は、他の携帯端末装置１０のユーザーＵが自己の携帯端末装置１０の後方向から接近して来た場合は、自己の携帯端末装置１０の表示部１１の画面を該画面の下側の部分より暗くして、他の携帯端末装置１０が接近する程、該画面の暗い部分を広くして行く。
【００３９】
また、図４（ａ）乃至（ｄ）に示すように他の携帯端末装置１０のユーザーＵが自己の携帯端末装置１０の左斜め前方向から接近して来た場合は、自己の携帯端末装置１０は、自己の携帯端末装置１０の表示部１１の画面を該画面の左斜め上側の部分より暗くして、他の携帯端末装置１０が接近する程、該画面の暗い部分を広くし、最後に該画面の全体を暗くする。あるいは、自己の携帯端末装置１０は、他の携帯端末装置１０のユーザーＵが自己の携帯端末装置１０の右斜め後方向から接近して来た場合は、自己の携帯端末装置１０の表示部１１の画面を該画面の右斜め下側の部分より暗くして、他の携帯端末装置１０が接近する程、該画面の暗い部分を広くして行く。
【００４０】
これにより、自己の携帯端末装置１０のユーザーは、移動中に表示部１１の画面を見ながら操作を行っていても、他の携帯端末装置１０の接近、他の携帯端末装置１０との離間距離、他の携帯端末装置１０の接近方向を知ることができ、かつ操作を中断させることとなる。このため、他の携帯端末装置１０のユーザーＵとの接触を未然に防止することができる。また、他の携帯端末装置１０が接近していない状態では、自己の携帯端末装置１０のユーザーは、移動しながら操作を行うことができる。
【００４１】
次に、図５に示すフローチャートを参照しつつ、他の携帯端末装置１０の接近に応じて自己の携帯端末装置１０の表示部１１の画面を暗くするための処理手順を説明する。
【００４２】
まず、管理装置３０は、Ｗｉ−Ｆｉ通信の公衆のアクセスポイントを構成しているものとする。この管理装置３０のＷｉ−Ｆｉ通信による通信エリアに携帯端末装置１０が入って来ると、管理装置３０の近距離通信部３４と携帯端末装置１０の近距離通信部１４との間で、予め定められたプロトコルに基づきＷｉ−Ｆｉ通信が開始される（Ｓ１０１）。以降、携帯端末装置１０側では、Ｓ１０２〜Ｓ１０８の処理に対応するアプリケーションプログラムが起動されて実行され、また管理装置３０では、携帯端末装置１０の動作に応答するための処理が行われる。
【００４３】
管理装置３０では、携帯端末装置１０との間でＷｉ−Ｆｉ通信が開始されると、通信制御部４４が、その携帯端末装置１０の位置の送信要求を近距離通信部３４から該携帯端末装置１０に送信する。
【００４４】
携帯端末装置１０では、その位置の送信要求を近距離通信部１４で受信して、近距離通信部１４は当該送信要求を制御部２１に出力する（Ｓ１０２）。制御部２１は、この位置の送信要求に応じてＧＰＳ受信部１５を起動し、ＧＰＳ受信部１５からＧＰＳ信号を受け取って、この携帯端末装置１０の位置を取得する。通信制御部２４は、この位置を当該携帯端末装置１０の識別子（例えばＭＡＣアドレス）と共に近距離通信部１４から管理装置３０に送信する（Ｓ１０３）。そして、この携帯端末装置１０が管理装置３０の通信エリアに入っている間は、この携帯端末装置１０の位置が周期的に求められて管理装置３０に送信される。
【００４５】
管理装置３０では、管理装置３０の通信エリアに入っている携帯端末装置１０のいずれからも、その携帯端末装置１０の位置を近距離通信部３４で受信しており、この通信エリアにおける全ての携帯端末装置１０の位置を受信して収集する。このとき、全ての携帯端末装置１０の位置をそれぞれの識別子と共に受信して、全ての携帯端末装置１０の位置をそれぞれの識別子に対応付けて記憶部３８に記憶する。そして、制御部４１は、任意の携帯端末装置１０の位置を受信する度に、任意の携帯端末装置１０の識別子とは異なる他の識別子に対応する他の携帯端末装置１０の位置を記憶部３８から検索する。通信制御部４４は、その他の携帯端末装置１０の位置を近距離通信部３４から任意の携帯端末装置１０に送信する。この他の携帯端末装置１０の位置の送信は、任意の携帯端末装置１０の位置が受信される度に行われる。
【００４６】
携帯端末装置１０では、自己の携帯端末装置１０を除く他の各携帯端末装置１０の位置を近距離通信部１４で受信して、近距離通信部１４は当該位置を制御部２１に出力する（Ｓ１０４）。このとき、制御部２１は、ＧＰＳ受信部１５のＧＰＳ信号に基づき自己の携帯端末装置１０の位置を繰り返し求めて、これらの位置の変化に基づき自己の携帯端末装置１０が移動しているか否かを判定している（Ｓ１０５）。そして、制御部２１は、自己の携帯端末装置１０が移動していないと判定すると（Ｓ１０５で「Ｎｏ」）、Ｓ１０３に戻る。従って、自己の携帯端末装置１０が移動していない場合は、表示部１１の画面が暗くなることはない。
【００４７】
また、制御部２１は、自己の携帯端末装置１０が移動していると判定すると（Ｓ１０５で「Ｙｅｓ」）、Ｓ１０４で受け取った他の各携帯端末装置１０の位置と自己の携帯端末装置１０の位置を比較して、他の各携帯端末装置１０と自己の携帯端末装置１０の間のそれぞれの離間距離を求め、最も短い離間距離を選択して、この最も短い離間距離が予め設定された閾値（例えば１０ｍ）以下であるか否かを判定する（Ｓ１０６）。そして、制御部２１は、最も短い離間距離が閾値よりも長いと判定すると（Ｓ１０６で「Ｎｏ」）、Ｓ１０３に戻る。このため、自己の携帯端末装置１０を中心とする閾値に等しい半径の領域に、他の携帯端末装置１０が入っていない場合は、表示部１１の画面が暗くなることはない。
【００４８】
また、制御部２１は、最も短い離間距離が閾値以下であると判定すると（Ｓ１０６で「Ｙｅｓ」）、自己の携帯端末装置１０を中心とする閾値に等しい半径の領域に他の携帯端末装置１０が入っている、つまり他の携帯端末装置１０が接近しているとみなす。更に、制御部２１は、最も短い離間距離となっている他の携帯端末装置１０の位置と自己の携帯端末装置１０の位置に基づき、自己の携帯端末装置１０に対する該他の携帯端末装置１０の接近方向を算出する（Ｓ１０７）。
【００４９】
そして、制御部２１は、その最も短い離間距離及び自己の携帯端末装置１０に対する該他の携帯端末装置１０の接近方向に基づき、表示部１１の画面における暗くする部分を算出する。表示制御部２３は、その求められた表示部１１の画面の一部分を暗くする（Ｓ１０８）。これにより、図３、図４に示すように表示部１１の画面における接近方向の部分が暗くされると共に、離間距離に応じて表示部１１の画面の暗い部分の広さが設定される。
【００５０】
ここで、最も短い離間距離が閾値以下となった後には、近距離通信部１４で受信される他の携帯端末装置１０からの送信信号の受信レベルが高くなるので、この送信信号の受信レベルに基づき離間距離を改めて算出するか又は訂正する等により補正して、この離間距離の精度を向上させてもよい。管理装置３０の通信エリアでは、各携帯端末装置１０が共通チャンネルで該各携帯端末装置１０の位置を送受信するので、他の携帯端末装置１０からの送信信号を近距離通信部１４で受信して、この送信信号の受信レベルに基づき離間距離を算出するか又は訂正する等により補正することが可能である。また、他の携帯端末装置１０からの受信レベルが高い送信信号を用いるので、別の携帯端末装置１０や管理装置３０からの受信レベルの低い送信信号の影響を受け難い。
【００５１】
引き続いて、自己の携帯端末装置１０が管理装置３０の通信エリアに入っていて、Ｗｉ−Ｆｉ通信が継続されていれば（Ｓ１０９で「Ｎｏ」）、Ｓ１０３〜Ｓ１０８の処理が繰り返され、自己の携帯端末装置１０の移動中に他の携帯端末装置１０がより接近して来て、離間距離が短くなると、図３、図４に示すように表示部１１の画面の暗い部分が拡大される。
【００５２】
また、自己の携帯端末装置１０が管理装置３０の通信エリアから出て、Ｗｉ−Ｆｉ通信が停止すると（Ｓ１０９で「Ｙｅｓ」）、図５の処理を終了する。
【００５３】
このように本実施形態では、自己の携帯端末装置１０の移動中に他の携帯端末装置１０が接近して来ると、自己の携帯端末装置１０の表示部１１の画面の一部分又は全体が暗くされる。このため、自己の携帯端末装置１０のユーザーは、他の携帯端末装置１０のユーザーの接近を察知し、かつ操作を中断させることとなり、他の携帯端末装置１０のユーザーＵとの接触を避けることができる。また、他の携帯端末装置１０が接近していない状態では、自己の携帯端末装置１０のユーザーは、移動しながら操作を行うことができる。また、自己の携帯端末装置１０の停止中は、他の携帯端末装置１０が接近して来ても、表示部１１の画面が暗くなることはなく、操作を継続できる。更に、表示部１１の画面を暗くするため、省電力の観点からも効果を期待できる。
【００５４】
なお、自己の携帯端末装置１０と複数の他の携帯端末装置１０の間の離間距離が閾値以下となったとき、つまり複数の他の携帯端末装置１０が接近している場合は、最初に接近して来た他の携帯端末装置１０を選択して、この最初に接近して来た他の携帯端末装置１０との離間距離及び該他の携帯端末装置１０の接近方向に基づき自己の携帯端末装置１０の表示部１１の画面の一部分を暗くするようにする。
【００５５】
また、自己の携帯端末装置１０と他の携帯端末装置１０の間の離間距離が閾値以下となって、他の携帯端末装置１０が接近している状態で、他の携帯端末装置１０の位置の変化に基づき該他の携帯端末装置１０が移動しているか否かを判定し、該他の携帯端末装置１０が移動していないと判定した場合は、自己の携帯端末装置１０のユーザーが他の携帯端末装置１０のユーザーＵと接触する危険性が低くなるので、表示部１１の画面を暗くする制御を停止させて、表示部１１の画面の明るさを元に戻してもよい。
【００５６】
また、他の携帯端末装置１０が接近しているときに、自己の携帯端末装置１０の表示部１１の画面の一部分を暗くするだけではなく、携帯端末装置１０の操作を禁止しても構わない。例えば、制御部２１は、暗くした画面の一部分の面積が一定値よりも広くなったか否かを判定し、広くなったと判定すると、操作受付部２２の動作を停止させる。これにより、自己の携帯端末装置１０のユーザーは、該携帯端末装置１０の操作を行うことができなくなり、他の携帯端末装置１０の接近に注意を払うようになる。
【００５７】
また、Ｗｉ−Ｆｉに限定されるものではなく、公衆回線網においても、本発明を適用することができる。この場合は、インターネット上のサーバーが上記管理装置３０と同様に機能するものとし、当該サーバーが、各携帯端末装置１０の位置を収集して管理し、当該サーバー側で、各携帯端末装置１０の位置に基づき、ユーザーの携帯端末装置１０周辺の他の携帯端末装置１０を選択して、他の携帯端末装置１０の位置を該ユーザーの携帯端末装置１０に送信する。そして、ユーザーの携帯端末装置１０では、自己の携帯端末装置１０と他の携帯端末装置１０の位置を比較して、他の携帯端末装置１０が自己の携帯端末装置１０に接近しているか否かを判定する。
【００５８】
また、他の実施形態として、互いに接近している各携帯端末装置１０の間でそれぞれの位置を送受信し、自己の携帯端末装置１０の位置と他の携帯端末装置１０の位置に基づき、互いの離間距離を求め、この離間距離が短くなる程、自己の携帯端末装置１０の表示部１１の画面の暗い部分を広くする安全管理システムとしてもよい。図６に本発明の他の実施形態に係る安全管理システムにおける携帯端末装置の構成を示すブロック図を示す。図７は、当該他の実施形態に係る安全管理システムにおける各携帯端末装置においてその表示部の画面を暗くするための処理手順を示すフローチャートである。
【００５９】
当該他の実施形態では、安全管理システムＳｙは、複数の携帯端末装置１０同士で構成される。なお、上記に示した実施形態と同様の構成となる携帯端末装置１０については、ここでは説明を省略する。
【００６０】
当該他の実施形態に係る安全管理システムＳｙを構成する複数の携帯端末装置１０はそれぞれにおいて、図７に示す処理を実行する。制御部２１は、携帯端末装置１０の動作中は常にＧＰＳ受信部１５を起動し、ＧＰＳ受信部１５からＧＰＳ信号を受け取って、この携帯端末装置１０の位置を取得する。通信制御部２４は、この位置を例えば当該携帯端末装置１０の識別子（当該識別子の送信は必須ではない）と共に近距離通信部１４から、近距離通信部１４の通信可能範囲に存在する他の携帯通信端末１０に向けて送信する（Ｓ２０３）。すなわち、携帯端末装置１０の動作中は、携帯端末装置１０は、その位置を周期的に取得して他の携帯端末装置１０に近距離通信部１４により送信し、他の携帯端末装置１０からは、当該他の携帯端末装置１０の位置を近距離通信部１４により受信する。
【００６１】
各携帯端末装置１０では、他の各携帯端末装置１０の位置を近距離通信部１４で受信すると、近距離通信部１４は当該位置を制御部２１に出力する（Ｓ２０４）。以降、当該携帯端末装置１０で行われるＳ２０５〜２０８の処理、すなわち、携帯端末装置１０が移動しているか否かの判定処理（Ｓ２０５）、最短の離間距離が閾値以下か否かの判定処理（Ｓ２０６）、他の携帯端末１０の接近方向を算出する処理（Ｓ２０７）、及び表示部の画面を暗くする処理（Ｓ２０８）は、図５を参照して説明した上述の実施形態と同様に行われる。
【００６２】
なお、Ｓ２０８の後、携帯端末装置１０が引き続いて動作中であれば（Ｓ２０９で「Ｎｏ」）、Ｓ２０３〜Ｓ２０８の処理が繰り返される。電源オフ等により携帯端末装置１０の動作が停止したとき（Ｓ２０９で「Ｙｅｓ」）、図７の処理が終了する。
【００６３】
当該他の実施形態によっても、携帯端末装置１０においては、他の携帯端末装置１０を持つ保有者と接触する可能性があるときに、その危険性を分かり易く表示することが可能である。
【００６４】
更なる他の実施形態として、図５及び図７を参照して説明する各実施形態において、携帯端末装置１０に加速度センサーが搭載されている場合は、携帯端末装置１０の加速度を検出して、互いに接近している各携帯端末装置１０の間でそれぞれの位置及び加速度を送受信し、それぞれの位置に基づき互いの離間距離だけではなく、それぞれの加速度に基づき互いの接近速度を求めて、この接近速度を表示部１１の画面の暗い部分の面積に反映させてもよい。また、携帯端末装置１０にバイブレーターが搭載されている場合は、表示部１１の画面を暗くすると同時にバイブレーターを起動させれば、他の携帯端末装置１０のユーザーの接近をより察知し易くなる。
【００６５】
また、上記実施形態で説明した表示制御方法は、プログラムとして提供することができる。このプログラムは、コンピューターにより読み取り可能な非一時的な記録媒体、例えば、ハードディスク、ＣＤ−ＲＯＭ、ＤＶＤ−ＲＯＭ、半導体メモリーなどに記録される。この場合、当該プログラムを記録したコンピューターにより読み取り可能な非一時的な記録媒体が、本発明の一実施形態となる。
【符号の説明】
【００６６】
１０    携帯端末置
１１    表示部
１２    タッチパネル
１３    ネットワーク通信部
１４    近距離通信部
１５    ＧＰＳ受信部
１６    記憶部
１７    制御ユニット
１８    物理キー
３０    管理装置
３１    表示部
３２    操作部
３３    ネットワーク通信部
３８    記憶部
３９    制御ユニット
【図１】
2018113572.tif 000003
【図２】
2018113572.tif 000004
【図３】
2018113572.tif 000005
【図４】
2018113572.tif 000006
【図５】
2018113572.tif 000007
【図６】
2018113572.tif 000008
【図７】
2018113572.tif 000009